(57)【要約】【課題】高い強度と、優れた外観や触感が得られ、連続した握り部のどの位置でも握ることができるボード型手摺を提供すること。【解決手段】本体胴部１２の上方に握り部１３を形成する手摺本体１０と、本体胴部の裏面に、該本体胴部の長手方向に適宜間隔をおいて取り付けられるブラケット３０と、を具備するボード型手摺において、手摺本体は、芯材１１にカバー材２０を嵌合被着してなる。カバー材は、芯材の前面部、握り部及び裏面部を連続して覆うと共に、下部開口部２１を有する下向き溝形に形成され、カバー材の下部開口部に、芯材の下部の前面側及び裏面側に設けられた係合溝１５ａ，１５ｂに嵌合可能な係止凸条２２ａ，２２ｂを形成し、ブラケットを、該ブラケットの手摺固定部（垂直壁３１ａ）がカバー材の裏面部を挟んで芯材の本体胴部裏面部に当接した状態で、芯材の裏面部に固定ねじ３１ｂによって固定する。【選択図】図２Ａ
2019112880.tif 000002
【特許請求の範囲】
【請求項１】
本体胴部の上方に握り部を形成する手摺本体と、
上記本体胴部の裏面に、該本体胴部の長手方向に沿って適宜間隔をおいて取り付けられるブラケットと、を具備するボード型手摺であって、
上記手摺本体は、芯材にカバー材を嵌合被着してなり、
上記カバー材は、上記芯材の前面部、握り部及び裏面部を連続して覆うと共に、下部開口部を有する下向き溝形に形成され、
上記カバー材の下部開口部には、上記芯材の下部の前面側及び裏面側に設けられた係合溝に嵌合可能な係止凸条が形成され、
上記ブラケットは、該ブラケットの手摺固定部が上記カバー材の裏面部を挟んで上記芯材の本体胴部裏面部に当接された状態で、芯材の裏面部にねじ部材によって固定されている、
ことを特徴とするボード型手摺。
【請求項２】
請求項１に記載のボード型手摺において、
上記芯材は、金属製部材にて形成され、上記カバー材は、合成樹脂製部材にて形成されている、ことを特徴とするボード型手摺。
【請求項３】
請求項１又は２に記載のボード型手摺において、
上記芯材は、上記本体胴部及び握り部が中空状の中空形材にて形成されている、ことを特徴とするボード型手摺。
【請求項４】
請求項１ないし３のいずれかに記載のボード型手摺において、
上記芯材の前面部、握り部及び裏面部の表面に、適宜間隔をおいて複数の小凸条が形成されている、ことを特徴とするボード型手摺。
【請求項５】
請求項２に記載のボード型手摺において、
上記カバー材の前面及び握り部の表面に、合成樹脂製のシート材を貼着してなり、
上記カバー材における上記シート材の端縁に近接する部位に、上記シート材の剥がれ防止用の隆起段部を形成してなる、ことを特徴とするボード型手摺。
【請求項６】
請求項２に記載のボード型手摺において、
上記カバー材の長手方向の端部に合成樹脂製のエンドキャップを接着により被着してなる、ことを特徴とするボード型手摺。
【請求項７】
請求項１ないし３のいずれかに記載のボード型手摺において、
上記ブラケットは、一端が上記本体胴部に固定される手摺固定部を有する手摺側ブラケット半体と、壁面に固定される略L字状の壁側ブラケット半体とからなり、上記手摺側ブラケット半体の他端に設けられた係止垂下片を、上記壁側ブラケット半体の垂直部の上端部に設けられた係止段部に係合可能に形成すると共に、上記壁側ブラケット半体の水平部と上記手摺側ブラケット半体の一端側下部とをねじ部材によって固定可能に形成してなる、ことを特徴とするボード型手摺。
【請求項８】
請求項１ないし３のいずれかに記載のボード型手摺において、
上記本体胴部の下部に添設される照明ユニットを更に具備し、
上記照明ユニットは、プリント基板に所定のピッチで発光素子を実装してなる光源と、該光源を保持する透光性を有するケースとからなり、
上記ケースは、上記本体胴部の下部に設けられた下方が開口する取付凹溝に嵌合可能に形成されている、ことを特徴とするボード型手摺。
【請求項９】
請求項１ないし３のいずれかに記載のボード型手摺において、
上記芯材の裏面に、長手方向に沿う段部を形成し、
上記ブラケットの両側面に、水平段部を形成し、
上記芯材の上記段部と、隣接する上記ブラケットの対向する上記水平段部に棚を載置可能に形成してなる、ことを特徴とするボード型手摺。
【発明の詳細な説明】
【技術分野】
【０００１】
この発明は、上部を握り部としたボード型手摺に関するものである。
【背景技術】
【０００２】
従来、使用者が上端部をつかんだときに、しっかりとつかむことができるように、上部を握り部とした縦長状のボード型手摺が知られている（例えば、特許文献１参照）。
【０００３】
特許文献１に記載の手摺は、手摺本体部の上端部から後方に向かって突出する指掛け部（握り部）を備える縦長状の中空部材にて形成されている。この手摺本体部は、形状，色彩等の外観や触感が求められているため、一般に合成樹脂製の中空形材にて形成されている。
また、特許文献１に記載の手摺は、強度をもたせるために、中空部内に配置されるバックアップ材と、壁に固定される支持体（ブラケット）とをねじ止めして取り付けられている。
【先行技術文献】
【特許文献】
【０００４】
【特許文献１】特開２０１６−１７６２６１号公報（図２，図７）
【発明の概要】
【発明が解決しようとする課題】
【０００５】
しかしながら、特許文献１に記載のものにおいては、上部を握り部としたボード型手摺であるが、縦長状の合成樹脂製の中空部材にて形成されているため、強度が低く、バックアップ材等の補強部材が必要となる。
また、ブラケットが大型化し、握り部を握ったときブラケットが邪魔になり、手摺として握る部分が限定され、手摺の機能が損なわれる懸念がある。
【０００６】
この発明は、上記事情に鑑みてなされたもので、高い強度が得られ、優れた外観や触感が得られ、連続した握り部のどの位置でも握ることができるボード型手摺を提供する。
【課題を解決するための手段】
【０００７】
上記課題を解決するため、この発明に係る手摺は、本体胴部の上方に握り部を形成する手摺本体と、上記本体胴部の裏面に、該本体胴部の長手方向に沿って適宜間隔をおいて取り付けられるブラケットと、を具備するボード型手摺であって、上記手摺本体は、芯材にカバー材を嵌合被着してなり、上記カバー材は、上記芯材の前面部、握り部及び裏面部を連続して覆うと共に、下部開口部を有する下向き溝形に形成され、上記カバー材の下部開口部には、上記芯材の下部の前面側及び裏面側に設けられた係合溝に嵌合可能な係止凸条が形成され、上記ブラケットは、該ブラケットの手摺固定部が上記カバー材の裏面部を挟んで上記芯材の本体胴部裏面部に当接された状態で、芯材の裏面部にねじ部材によって固定されている、ことを特徴とする（請求項１）。
この場合、上記芯材は金属製部材にて形成され、上記カバー材は合成樹脂製部材にて形成されているのが好ましい（請求項２）。また、上記芯材は、上記本体胴部及び握り部が中空状の中空形材にて形成されているのが好ましい（請求項３）。
【０００８】
このように構成することにより、合成樹脂製のカバー材の下部開口部を広げて、芯材の前面部、握り部及び裏面部を連続して覆うようにして、芯材に設けられた係合溝にカバー材に設けられた係止凸条を係合して被着した状態で、ブラケットを芯材の本体胴部裏面部に固定することができる。
この場合、上記芯材を、金属製部材にて形成し、上記カバー材を、合成樹脂製部材にて形成することで、更に高い強度が得られると共に、優れた外観と触感が得られる（請求項２）。また、上記芯材を、上記本体胴部及び握り部が中空状の中空形材にて形成することにより、芯材の軽量化が図れる（請求項３）。
【０００９】
また、この発明において、上記芯材の前面部、握り部及び裏面部の表面に、適宜間隔をおいて複数の小凸条が形成されているのが好ましい（請求項４）。
【００１０】
このように構成することにより、小凸条がカバー材の内面に接触することによって、カバー材の捩れ等によるがたつきを抑制することができる。
【００１１】
また、この発明において、上記カバー材の前面及び握り部の表面に、合成樹脂製のシート材を貼着し、上記カバー材における上記シート材の端縁に近接する部位に、上記シート材の剥がれ防止用の隆起段部を形成するのが好ましい（請求項５）。
【００１２】
このように構成することにより、カバー材の前面及び握り部の表面に、適宜模様を施した合成樹脂製のシート材を貼着することができる。また、シート材の端縁に近接する部位に隆起段部を形成することで、シート材が不用意に剥がれるのを防止することができる。
【００１３】
また、この発明において、芯材が金属製部材にて形成される場合は、上記カバー材の長手方向の端部に合成樹脂製のエンドキャップを接着により被着するのが好ましい（請求項６）。
【００１４】
このように構成することにより、合成樹脂製のエンドキャップを金属製の芯材に接触させずに、合成樹脂製カバー材に接着させて、芯材及びカバー材の長手方向の端部をエンドキャップで目隠しすることができる。また、カバー材の熱膨張によってエンドキャップが脱落するのを防止することができる。
【００１５】
また、この発明において、上記ブラケットは、一端が上記本体胴部に固定される手摺固定部を有する手摺側ブラケット半体と、壁面に固定される略L字状の壁側ブラケット半体とからなり、上記手摺側ブラケット半体の他端に設けられた係止垂下片を、上記壁側ブラケット半体の垂直部の上端部に設けられた係止段部に係合可能に形成すると共に、上記壁側ブラケット半体の水平部と上記手摺側ブラケット半体の一端側下部とをねじ部材によって固定可能に形成するのが好ましい（請求項７）。
【００１６】
このように構成することにより、本体胴部に固定される手摺側ブラケット半体に設けられた係止垂下片を、壁面に固定される壁側ブラケット半体に設けられた係止段部に係合させた状態で、壁側ブラケット半体の水平部と手摺側ブラケット半体の一端側下部とをねじ部材によって固定することができる。
【００１７】
また、この発明において、上記本体胴部の下部に添設される照明ユニットを更に具備し、上記照明ユニットは、プリント基板に所定のピッチで発光素子を実装してなる光源と、該光源を保持する透光性を有するケースとからなり、上記ケースは、上記本体胴部の下部に設けられた下方が開口する取付凹溝に嵌合可能に形成されているのが好ましい（請求項８）。
【００１８】
このように構成することにより、手摺本体の下部に照明ユニットを容易に取り付けることができる。
【００１９】
加えて、この発明において、上記芯材の裏面に、長手方向に沿う段部を形成し、上記ブラケットの両側面に、水平段部を形成し、上記芯材の上記段部と、隣接する上記ブラケットの対向する上記水平段部に棚を載置可能に形成するのが好ましい（請求項１３）。
【００２０】
このように構成することにより、芯材の裏面に形成された段部と、隣接するブラケットに形成された水平段部の三辺に棚を載置することができる。
【発明の効果】
【００２１】
この発明によれば、上記のように構成されているので、以下のような優れた効果が得られる。
【００２２】
（１）請求項１に記載の発明によれば、芯材の前面部、握り部及び裏面部の表面にカバー材を被着するので、高い強度が得られると共に、優れた外観や触感が得られ、握り部の下方に位置する本体胴部に固定されるブラケットを介して壁面に固定するので、連続した握り部のどの位置でも握ることができる。
また、芯材に設けられた係合溝にカバー材に設けられた係止凸条を係合して被着した状態で、ブラケットを芯材の本体胴部裏面部に固定するので、芯材とカバー材はがたつきやずれがなく一体化することができる。
この場合、芯材を、金属製部材にて形成し、カバー材を、合成樹脂製部材にて形成することで、更に高い強度が得られると共に、更に優れた外観と触感が得られる（請求項２）。また、芯材を、本体胴部及び握り部が中空状の中空形材にて形成することにより、芯材の軽量化が図れるので、手摺自体の軽量化が図れ、手摺の取付を容易にすることができる（請求項３）。
【００２３】
（２）請求項４に記載の発明によれば、小凸条がカバー材の内面に接触することによって、カバー材の捩れ等によるがたつきを抑制することができるので、上記（１）に加えて、更に芯材と合成樹脂製カバー材はがたつきやずれがなく一体化することができる。
【００２４】
（３）請求項５に記載の発明によれば、カバー材の前面及び握り部の表面に、適宜模様を施した合成樹脂製のシート材を貼着することができ、シート材が不用意に剥がれるのを防止することができるので、上記（１）に加えて、更に外観や触感を高めることができる。
【００２５】
（４）請求項６に記載の発明によれば、上記（１）に加えて、更に芯材及びカバー材の長手方向の端部をエンドキャップで目隠しすることができるので、外観を高めることができる。また、カバー材の熱膨張によってエンドキャップが脱落するのを防止することができる。
【００２６】
（５）請求項７に記載の発明によれば、上記（１）に加えて、更に本体胴部に固定される手摺側ブラケット半体に設けられた係止垂下片を、壁面に固定される壁側ブラケット半体に設けられた係止段部に係合させた状態で、壁側ブラケット半体の水平部と手摺側ブラケット半体の一端側下部とをねじ部材によって固定することができる。したがって、手摺本体の取付を容易にすることができると共に、確実に固定することができる。
【００２７】
（６）請求項８に記載の発明によれば、上記（１）に加えて、更に手摺本体の下部に照明ユニットを容易に取り付けることができ、手摺に照明機能をもたせることができる。
【００２８】
（７）請求項９に記載の発明によれば、上記（１）に加えて、更に芯材の裏面に形成された段部と、隣接するブラケットに形成された水平段部の三辺に棚を載置することができるので、棚を安定した状態で載置することができると共に、芯材の裏面側とブラケット間のスペースの有効利用が図れる。
【図面の簡単な説明】
【００２９】
【図１】この発明に係るボード型手摺の第１実施形態の使用状態を示す斜視図である。
【図２Ａ】この発明における手摺本体とブラケットの取付状態を示す断面図である。
【図２Ｂ】上記ブラケットを構成する手摺側ブラケット半体と壁側ブラケット半体の連結状態を示す断面図である。
【図３】この発明における配管の取付部を示す断面図である。
【図４】この発明における芯材とカバー材及び照明ユニットの取付状態を示す断面図である。
【図４Ａ】この発明における芯材とカバー材の取付状態を示す断面図である。
【図５】この発明における連結用ブラケットを示す分解斜視図である。
【図６】この発明におけるブラケットを示す分解斜視図である。
【図７】この発明における芯材、カバー材及びエンドキャップを示す分解斜視図である。
【図８】この発明の構成部材の全体を示す分解斜視図である。
【図８Ａ】この発明における芯材、カバー材、ブラケット及び連結用ブラケットを示す分解斜視図である。
【図９】ボード型手摺を取り付ける前の状態を示す分解斜視図である。
【図１０】取付前のボード型手摺の裏面側を示す背面図である。
【図１１】この発明の第２実施形態におけるカバー材にシート材を貼着した状態を示す断面図（ａ）及び（ａ）のＩ部拡大断面図（ｂ）である。
【図１２】この発明に係るボード型手摺の第３実施形態の取付部を示す断面図である。
【図１３】第３実施形態における芯材、カバー材及びエンドキャップを示す分解斜視図である。
【図１３Ａ】第３実施形態におけるエンドキャップを示す斜視図である。
【図１４】この発明における芯材とブラケットに棚を載置する前の状態を示す概略平面図（ａ）及び棚を載置した状態を示す概略平面図（ｂ）である。
【図１５】この発明における棚の載置状態を示す斜視図である。
【発明を実施するための形態】
【００３０】
以下に、この発明に係るボード型手摺の実施形態を添付図面に基づいて詳細に説明する。ここでは、この発明に係るボード型手摺を浴室手摺に適用した場合について説明する。
【００３１】
＜第１実施形態＞
この発明に係るボード型手摺１０（以下に、手摺１０という）は、浴室１の出入口（図１の右手前側）と浴槽３に隣接した壁面２に取り付けられており、シャワー等に接続する銅製の配管８が収容されている。また、手摺１０の下部には照明ユニット５０が添設されている。
【００３２】
上記手摺１０は、本体胴部１２の上方に握り部１３を形成する金属製、例えばアルミニウム製押出形材にて形成される芯材１１と、芯材１１に嵌合被着される合成樹脂製、例えばＡＢＳ等の樹脂製のカバー材２０とからなり、本体胴部１２の裏面に、該本体胴部１２の長手方向に沿って適宜間隔をおいて取り付けられる複数例えば４個のブラケット３０によって壁面２に取り付けられている。
【００３３】
また、本体胴部１２の長手方向の一端には、シャワー４に接続するホース４ａを接続するシャワー等の接続部５が形成され、本体胴部１２の中間部裏面には、混合水栓６に接続された水栓連結部７が形成され、水栓連結部７と接続部５とを接続する配管８が本体胴部１２内に収容されている。
【００３４】
芯材１１は、前面と裏面が平坦な中空筒状部１２ａを有する本体胴部１２と、本体胴部１２の上方に、前面が本体胴部１２の前面から直状に延在し、裏面側が円弧状に括れた指掛け凹部１３ａを有する中空状の握り部１３とが一体に形成されたアルミニウム製中空押出形材にて形成されている。この場合、芯材１１の上下方向の寸法は約１８０ｍｍであり、本体胴部１２と握り部１３の寸法は略同寸法となっている。
【００３５】
この場合、本体胴部１２の裏面側の下端には照明ユニット５０を取り付ける下方が開口する取付凹溝１４が形成されている。
また、本体胴部１２の下端における取付凹溝１４を挟んだ前面側と裏面側には、カバー材２０を取り付けるための係合溝１５ａ，１５ｂが設けられている。
【００３６】
この場合、一方の係合溝１５ａは、本体胴部１２の前面と下面の隅角部において、下方に向かって傾斜状に開口する凹溝にて形成されている。また、他方の係合溝１５ｂは、本体胴部１２の裏面における取付凹溝１４の縁部において、下方に向かって傾斜状に開口する凹溝にて形成されている。
【００３７】
また、本体胴部１２の前面側内壁には、狭隘開口溝１６が長手通しに形成されている。この場合、狭隘開口溝１６の上部側は下部側に対して深く形成されている。この狭隘開口溝１６の両側と対向する前面側表面には互いに平行な２条の浅溝１７が形成されている。この浅溝１７には固定ねじ１７ｂが挿通可能な挿通孔１７ａが設けられている。
なお、前面側内壁の狭隘開口溝１６の中央部には内方に向かって突出する略Ｔ字状の補強リブ１８ａが形成されている。
また、芯材１１の中間部における本体胴部１２の裏面側には、配管８の端部のエルボ部８ｂと照明ユニット５０の給電ケーブル５６が挿通可能な長孔１２ｂが設けられている。また、芯材１１の裏面における本体胴部１２と握り部１３との間には、長手方向に沿う段部１２ｄが形成されている（図４参照）。
【００３８】
一方、握り部１３の中空部内には円弧状の指掛け凹部１３ａの対称の２箇所から前面側に向かって広がる２本の補強リブ１８ｂ，１８ｃが設けられている。このように補強リブ１８ｂ，１８ｃを設けることによって握り部１３をトラス構造にして強度が高められている。
なお、芯材１１の前面部、握り部１３及び裏面部の表面には適宜間隔をおいて複数の小凸条１８ｄが突設されている（図３参照）。
【００３９】
上記カバー材２０は、芯材１１の前面部、握り部１３、指掛け凹部１３ａ、段部１２ｄ及び裏面部を連続して覆うと共に、下端に下部開口部２１を有する下向き溝形に形成されている。
なお、カバー材２０の裏面側の中間部には、本体胴部１２に設けられた長孔１２ｂと対向する部位に、本体胴部１２に設けられた長孔１２ｂに連通する配管挿通孔２０ａが設けられている。
【００４０】
また、カバー材２０の裏面側には、照明ユニット５０の給電ケーブル５６が挿通可能なケーブル挿通孔２０ｂが設けられると共に、ブラケット３０を固定する固定ねじ３１ｂ又は連結用ブラケット４０を固定する固定ねじ４１ｄが挿通可能な挿通孔２０ｃが設けられている（図９参照）。
また、カバー材２０の下部開口部２１の対向する両側縁には、芯材１１の本体胴部１２の下部に設けられた係合溝１５ａ，１５ｂに嵌合可能な係止凸条２２ａ，２２ｂが形成されている。
【００４１】
上記のように形成されるカバー材２０は、図４Ａに示すように、下部開口部２１を広げるようにして芯材１１の上方から落とし込んで、係止凸条２２ａを芯材１１の前面に摺動させつつ移動して芯材１１の前面側下部に設けられた係合溝１５ａに係合（嵌合）させた後、係止凸条２２ｂを芯材１１の裏面側下部に設けられた係合溝１５ｂに係合（嵌合）させることによって芯材１１に嵌合被着される。
なお、芯材１１とカバー材２０との間に隙間が生じるが、芯材１１の表面に設けられた小凸条１８ｄがカバー材２０の内面に接触することによって、カバー材２０の捩れ等によるがたつきを抑制することができる。なお、カバー材２０の内側に小凸条を設けると、樹脂製カバー材２０の表面が引けて筋が出てしまい、外観を損なうため、芯材１１の表面に小凸条１８ｄが設けられている。
【００４２】
また、カバー材２０の長手方向の端部は芯材１１より外方に突出しており、このカバー材２０の端部には、エンドキャップ２３が接着剤を介して被着されている。このエンドキャップ２３は、カバー材２０と同様にＡＢＳ等の樹脂製部材にて形成されている。
ここで、エンドキャップ２３を芯材１１に接着させずに、カバー材２０に接着した理由は、合成樹脂製のエンドキャップ２３をアルミニウム製の芯材１１に接着すると、合成樹脂製のカバー材２０の熱膨張によってエンドキャップ２３が脱落する懸念があるためである。
【００４３】
一端側のエンドキャップ２３には、取付孔２３ａが設けられており、この取付孔２３ａに、ＥＰＤＭ等の合成ゴム製のグロメット２４を介してシャワーホース４ａに接続する接続部５が形成されている（図２Ｂ参照）。また、このエンドキャップ２３の下部には、照明ユニット５０の長手方向の端部に取り付けられた端部キャップ５１の保持部２３ｂが設けられている。
なお、エンドキャップ２３の内面側の外周縁の内方近傍位置に起立壁２３ｃが突設されており、この起立壁２３ｃがカバー材２０の端部内周面に嵌挿可能に形成されている（図７及び図８参照）。
【００４４】
上記配管８は、一端が上記接続部５に接続される直状部８ａと、水栓連結部７に接続されるエルボ部８ｂとを有する銅製パイプにて形成されている。この配管８の直状部には例えば架橋ポリエチレン製の可撓性を有する合成樹脂製の保護チューブ８ｃが被着されており、アルミニウム製の押出形材にて形成される断面略ハット状のホルダー部材１９によって本体胴部１２の内壁に固定されている。
このように、銅製の配管８に合成樹脂製の保護チューブ８ｃを被着することにより、アルミニウム製のホルダー部材１９及び芯材１１との接触による電触及び傷防止と、温水からの伝熱防止が図られている。
【００４５】
この場合、ホルダー部材１９の配管保持部は段部を介して先端円弧側が狭く形成されており、配管８を保持した状態で、配管８に被着されている保護チューブ８ｃを押し潰すことで、配管８のがたつきを防止している。
【００４６】
配管８を手摺本体の本体胴部１２内に収容する場合は、予め配管８にホルダー部材１９を取り付けた状態で、ホルダー部材１９の両フランジ部１９ｂを本体胴部１２の内壁に設けられた狭隘開口溝１６に摺動させて、適当な位置で芯材１１の前面側からねじ固定する。このとき用いる固定ねじ１７ｂはタッピングビスで、本体胴部１２を貫通してホルダー部材１９に設けられた挿通孔１７ａにねじ結合する。なお、固定ねじ１７ｂは、浅溝１７内にねじ頭部が位置しており、芯材１１の前面より突出していない。
【００４７】
なお、本体胴部１２内に収容された配管８のエルボ部８ｂを手摺本体１１の外部に突出させる場合は、配管８を回転させてエルボ部８ｂを本体胴部１２に設けられた長孔１２ｂを介して外方に突出させる。
【００４８】
芯材１１の裏面側に突出された配管８のエルボ部８ｂは、連結用ブラケット４０内に収容される水栓連結部７に接続される。
【００４９】
上記照明ユニット５０は、図４に示すように、プリント基板５２に所定のピッチで発光素子５３（ＬＥＤ）を実装してなる光源５４と、該光源５４を保持する透光性を有するケース５５とで構成されており、本体胴部１２の下部に設けられた下方が開口する取付凹溝１４に嵌合可能に形成されている。
【００５０】
この場合、取付凹溝１４は、本体胴部１２の下面部と裏面部の隅角部に開口部１４ａを有する形状に形成されており、開口部１４ａの両側縁に係止凹溝１４ｂ，１４ｃが設けられている。
【００５１】
一方、照明ユニット５０のケース５５は、外形が本体胴部１２の下面と裏面に沿う輪郭に形成されており、ケース５５の両側に設けられた係合舌片５５ａ，５５ｂを係止凹溝１４ｂ，１４ｃにスナップ嵌合させることによって、照明ユニット５０を本体胴部１２の取付凹溝１４に取り付けることができる。
【００５２】
上記のようにして本体胴部１２の取付凹溝１４に取り付けられる照明ユニット５０の給電ケーブル５６は、芯材１１の本体胴部１２に設けられた長孔１２ｂ及びカバー材２０に設けられたケーブル挿通孔２０ｂを挿通して手摺本体の裏面側外方に引き出され、配管８のエルボ部８ｂ、水栓連結部７と共に連結用ブラケット４０内に収容される。
【００５３】
上記連結用ブラケット４０は、図３、図５及び図８に示すように、止水用パッキン４３を介して本体胴部１２に固定されるポリアセタール樹脂（ＰＯＭ）等製の手摺側ブラケット半体４１と、浴室１の壁面２に固定されるポリアセタール樹脂（ＰＯＭ）等製の壁側ブラケット半体４２とで構成されている。
【００５４】
この場合、手摺側ブラケット半体４１は、一端に水栓連結部７に接続される配管８のエルボ部８ｂが挿通可能な切欠き４１ａを設けた垂直壁４１ｂを有する下方が開口する半筒状体にて形成されており、垂直壁４１ｂの切欠き４１ａを除いた部位にパッキン４１ｅを貼着してなり、他端の上端部に係止垂下片４１ｆを形成してなる。
なお、垂直壁４１ｂには、手摺側ブラケット半体４１を手摺本体１１に取り付ける固定ねじ４１ｄを挿通する挿通孔４１ｃが上下左右の対称位置の４箇所に設けられている。また、手摺側ブラケット半体４１の両側面には、水平段部４１ｇが形成されている。
【００５５】
一方、壁側ブラケット半体４２は、壁面２に固定される垂直片４２ａと、垂直片４２ａの下端から直交状に屈曲する水平片４２ｂとからなる、略Ｌ字状に形成されており、垂直片４２ａの上端部に上方が開放する係止段部４２ｃが形成されている。
なお、垂直片４２ａには、照明ユニット５０の給電ケーブル５６を挿通するためのケーブル挿通孔４２ｄが設けられており、また、壁側ブラケット半体４２を壁面２に固定する固定ねじ４２ｅを挿通する挿通孔４２ｆが上下の対角位置の２箇所に設けられている。
なお、ケーブル挿通孔４２ｄを挿通する給電ケーブル５６は、ＥＰＤＭ等の合成ゴム製のグロメット４４を介して壁側に導出される。
【００５６】
上記のように構成される手摺側ブラケット半体４１は、止水用パッキン４３を介して固定ねじ４１ｄによってカバー材２０を被着した芯材１１に固定される。
なお、止水用パッキン４３には、配管８のエルボ部８ｂが挿通可能な配管挿通孔４３ａと、照明ユニット５０の給電ケーブル５６が挿通可能な、十字状のスリットを有するケーブル挿通孔４３ｂが設けられると共に、固定ねじ４１ｄが挿通可能な挿通孔４３ｃが上下左右の対称位置の４箇所に設けられている（図５参照）。この止水用パッキン４３は、カバー材２０に貼着される。
この場合、手摺側ブラケット半体４１を固定する固定ねじ４１ｄは、４箇所の挿通孔４１ｃのうちの対角位置にある２箇所に挿通されて、本体胴部１２に設けられたねじ受け部１２ｃにねじ結合することで、手摺側ブラケット半体４１を固定する。
【００５７】
上記のようにして芯材１１に固定された手摺側ブラケット半体４１に設けられた係止垂下片４１ｆを、壁面に固定された壁側ブラケット半体４２に設けられた係止段部４２ｃに係合した状態で手摺側ブラケット半体４１を壁側ブラケット半体４２に取り付ける。
【００５８】
上記ブラケット３０は、図２Ａ、図２Ｂ、図６及び図９に示すように、本体胴部１２に固定されるポリアセタール樹脂（ＰＯＭ）等製の手摺側ブラケット半体３１と、浴室１の壁面２に固定されるポリアセタール樹脂（ＰＯＭ）等製の壁側ブラケット半体３２とで構成されている。
【００５９】
この場合、手摺側ブラケット半体３１は、一端に手摺固定部である垂直壁３１ａを有する下方が開口する半筒状体にて形成されており、垂直壁３１ａには、手摺側ブラケット半体３１を芯材１１に取り付ける固定ねじ３１ｂを挿通する挿通孔３１ｃが上下左右の対称位置の４箇所に設けられ、他端の上端部に係止垂下片３１ｄが形成されている。
なお、垂直壁３１ａに設けられた４個の挿通孔３１ｃの表面開口側には同心円状の凹所３１ｅが設けられており、凹所３１ｅ内にドーナツ円板状のパッキン３１ｆが貼着される。
また、垂直壁３１ａの下端部には、手摺側ブラケット半体３１の内方に向かって下部水平片３１ｇが設けられ、下部水平片３１ｇの中央部の肉厚部３１ｈに垂直状にねじ孔３１ｉが設けられている。また、手摺側ブラケット半体３１の両側面には、水平段部３１ｊが形成されている。
【００６０】
一方、壁側ブラケット半体３２は、壁面２に固定される垂直部３２ａと、垂直部３２ａの下端から直交状に屈曲する水平部３２ｂとからなる、略Ｌ字状に形成されており、垂直部３２ａの上端部に上方が開放する係止段部３２ｃが形成され、水平部３２ｂの先端側に、連結ねじ３３が挿通可能な長孔３２ｄが設けられている。
【００６１】
この場合、水平部３２ｂの中央部は先端に向かって肉厚に形成されており、肉厚部３２ｅの先端側に長孔３２ｄが設けられている。また、水平部３２ｂの両側部と垂直部３２ａの両側部は、先端に向かって傾斜する側部補強リブ３２ｆ，３２ｇによって連結され、水平部３２ｂの中央部と垂直部３２ａの中央部は、先端に向かって傾斜する中央補強リブ３２ｈによって連結されている。このように、側部補強リブ３２ｆ，３２ｇ、中央補強リブ３２ｈを設けることによって壁側ブラケット半体３２の強度が高められている。
【００６２】
なお、垂直部３２ａには、壁側ブラケット半体３２を壁面２に固定する固定ねじ３２ｉを挿通する挿通孔３２ｊが上下左右の４箇所に設けられている。
【００６３】
上記のように構成される手摺側ブラケット半体３１は、固定ねじ３１ｂによってカバー材２０を被着した芯材１１に固定されるのであるが、４個のうちの芯材１１の長手方向の両端部側に固定される手摺側ブラケット半体３１は、強度をもたせる必要があるため、少なくとも上部左右の挿通孔３１ｃと下部の一方の挿通孔３１ｃを挿通する３本の固定ねじ３１ｂを本体胴部１２に設けられたねじ受け部１２ｃにねじ結合することによって固定される。ここでは、３本の場合を示す。
内側に位置する残りの２個の手摺側ブラケット半体３１は、両側の手摺側ブラケット半体３１に比べて強度は要求されないので、上下左右の対角位置の挿通孔３１ｃを挿通する２本の固定ねじ３１ｂによって固定される。
【００６４】
上記のようにして芯材１１に固定された手摺側ブラケット半体３１に設けられた係止垂下片３１ｄを、壁面に固定された壁側ブラケット半体３２に設けられた係止段部３２ｃに係合し、手摺側ブラケット半体３１の下部水平片３１ｇを壁側ブラケット半体３２の水平部３２ｂの先端側に載せた状態で、水平部３２ｂに設けられた長孔３２ｄを挿通する連結ねじ３３を下部水平片３１ｇに設けられたねじ孔３１ｉにねじ結合して手摺側ブラケット半体３１と壁側ブラケット半体３２とを固定する。
【００６５】
次に、手摺１０の取付手順について説明する。
手摺１０を取り付ける前に、予め、カバー材２０に止水用パッキン４３を貼着し、芯材１１の本体胴部１２の中空筒状部１２ａ内に配管８を収容する。
【００６６】
配管８を本体胴部１２の中空筒状部１２ａ内に収容する場合は、配管８にホルダー部材１９を取り付けた状態で、ホルダー部材１９の両フランジ部１９ｂを本体胴部１２の内壁に設けられた狭隘開口溝１６に摺動させて、適当な位置で手摺本体１１の前面側から固定ねじ１７ｂによって固定する。このとき、配管８を回転させてエルボ部８ｂを本体胴部１２に設けられた長孔１２ｂを介して外方に突出させる。
【００６７】
なお、配管８を本体胴部１２の中空筒状部１２ａ内に収容した後、取付凹溝１４に照明ユニット５０を嵌合させた状態で取り付け、給電ケーブル５６を芯材１１の長孔１２ｂを通して外方へ引き出す。
【００６８】
上記のようにして配管８を収容し、照明ユニット５０を取り付けた後、カバー材２０の下部開口部２１を広げるようにして芯材１１の上方から落とし込んで、係止凸条２２ａを芯材１１の前面に摺動させつつ移動して芯材１１の前面側下部に設けられた係合溝１５ａに係合（嵌合）させた後、係止凸条２２ｂを芯材１１の裏面側下部に設けられた係合溝１５ｂに係合（嵌合）させることによって芯材１１に嵌合被着する。
そして、配管８のエルボ部８ｂを配管挿通孔２０ａに挿通させると共に、照明ユニット５０の給電ケーブル５６をケーブル挿通孔２０ｂに挿通した状態で、裏面側の係止凸条２２ｂを本体胴部１２の裏面側下部に設けられた係合溝１５ｂにスナップ嵌合させることによって芯材１１に被着する。
【００６９】
芯材１１にカバー材２０を被着した後、カバー材２０の長手方向の一方の端部に接続部５を形成したエンドキャップ２３を接着によって被着し、他方の端部にエンドキャップ２３を接着によって被着する。
【００７０】
次に、図１０に示すように、配管８のエルボ部８ｂと水栓連結部７を接続した状態で、連結用ブラケット４０の手摺側ブラケット半体４１を、止水用パッキン４３を介して固定する。
【００７１】
また、４個のブラケット３０の手摺側ブラケット半体３１を芯材１１の長手方向に沿って適宜間隔をおいて設定された所定位置に固定する。この場合、手摺側ブラケット３１の垂直壁３１ａがカバー材２０の裏面部を挟んで芯材１１の本体胴部１２に当接された状態で、芯材１１に設けられたねじ受け部１２ｃに固定ねじ３１ｂをねじ結合して固定する。
したがって、カバー材２０は係止凸条２２ａ，２２ｂが芯材１１に設けられた係合溝１５ａ，１５ｂに係合（嵌合）された状態で、芯材１１と手摺側ブラケット半体３１との間に挟持されるので、芯材１１とカバー材２０はがたつきやずれがなく一体化される。
【００７２】
一方、連結用ブラケット４０の手摺側ブラケット半体４１と４個のブラケット３０の手摺側ブラケット半体３１に対応した壁面２に、連結用ブラケット４０の壁側ブラケット半体３２と４個のブラケット３０の壁側ブラケット半体４２を固定する。
【００７３】
図９に示すように、手摺側ブラケット半体３１，４１を固定した手摺１０（カバー材２０を被着した芯材１１）を、壁側ブラケット半体３２，４２の上方から下方へ移動させて、手摺側ブラケット半体３１の係止垂下片３１ｄを壁側ブラケット半体３２の係止段部３２ｃに係合させると共に、４個の手摺側ブラケット半体４１の係止垂下片４１ｆをそれぞれ壁側ブラケット半体４２の係止段部４２ｃに係合させて、手摺１０（カバー材２０を被着した芯材１１）をセットする。
そして、４個の手摺側ブラケット半体４１と壁側ブラケット半体４２とを連結ねじ３３によって固定して取付が終了する。
【００７４】
＜第２実施形態＞
上記第１実施形態では、芯材１１にカバー材２０を嵌合被着する場合について説明したが、カバー材２０の表面に適宜模様を施したシート材２５を貼着してもよい（図１１参照）。
【００７５】
この場合、シート材２５は、例えばポリ塩化ビニール（ＰＶＣ）製のフィルムシートにて形成され、その表面に適宜模様、色彩が施されている。
【００７６】
上記シート材２５は、図１１に示すように、カバー材２０の係止凸条２２ａから前面部２０ｄ，握り部２０ｅ及び指掛け凹部２０ｆの中間にわたって貼着されて、カバー材２０の表面を覆う。
【００７７】
なお、この場合、カバー材２０の指掛け凹部２０ｆにおけるシート材２５の端縁２５ａに近接する部位に、シート材２５の剥がれ防止用の隆起段部２４が形成されている。この隆起段部２４の高さはシート材２５の厚さ０．１５ｍｍより高い０．２ｍｍに形成されている。
【００７８】
上記のように、カバー材２０の表面にシート材２５を貼着することにより、手摺１０の表面に、例えば革絞り，薄い木目あるいは濃い木目模様等を施すことができるので、手摺１０の外観及び触感を更に高めることができる。
また、カバー材２０におけるシート材２５の端縁２５ａに近接する部位に、シート材２５の剥がれ防止用の隆起段部２６を形成することにより、シート材２５が不用意に剥がれるのを防止することができる。
【００７９】
＜第３実施形態＞
上記第１実施形態では、本体胴部１２の下部に照明ユニット５０を添設した場合について説明したが、この発明に係る手摺１０は、照明ユニット５０を備えない場合についても適用できる。
【００８０】
この場合、図１２及び図１３に示すように、芯材１１Ａは、本体胴部１２の下端部に水平区画壁６１を設けて中空筒状部１２ａと中空矩形状部６２とを区画し、中空矩形状部６２の前面側端部と裏面側の水平区画壁６１の連結部にカバー材２０の係止凸条２２ａ，２２ｂと係合する係合溝１５ａ，１５ｂが形成されている。
【００８１】
第３実施形態において、カバー材２０の端部にエンドキャップ２３を被着する場合は、芯材１１Ａの中空矩形状部６２の端部とカバー材２０の端部との隙間にエンドキャップ２３の下端部に突設された保持部６３を介在させてカバー材２０の端部とエンドキャップ２３とを接着している（図１３Ａ参照）。
【００８２】
なお、第３実施形態において、その他の部分は第１実施形態と同じであるので、同一部分には同一符号を付して、説明は省略する。
【００８３】
上記実施形態の手摺１０によれば、図１４及び図１５に示すように、芯材１１の裏面に形成された段部１２ｄと、隣接するブラケット３０の手摺側ブラケット半体３１に形成された水平段部３１ｊの三辺、すなわち図１４（ａ）にハッチングで示す範囲に棚９を載置することができる。
【００８４】
この場合、棚９は、底部９ａに４つの長孔状の水抜き孔９ｂを有する矩形皿状に形成されており、長辺側の一方に垂直に起立する起立壁９ｃの上端部に係止片９ｄが形成されている。棚９は、係止片９ｄが芯材１１に形成された段部１２ｄに係止され、底部９ａの短辺側の二辺が隣接するブラケット３０に形成された水平段部３１ｊに係止された状態で載置される。
したがって、棚９を安定した状態で載置することができると共に、芯材１１の裏面側とブラケット３０間のスペースの有効利用が図れる。
【００８５】
なお、上記実施形態では、隣接するブラケット３０間に棚９を載置する場合について説明したが、隣接するブラケット３０と連結用ブラケット４０においても同様に棚９を載置することができる。この場合は、棚９の短辺側の二辺が隣接するブラケット３０に形成された水平段部３１ｊと連結用ブラケット４０に形成された水平段部４１ｇに係止された状態で載置する。
【００８６】
＜その他の実施形態＞
上記実施形態ではこの発明に係るボード型手摺１０を浴室手摺に適用した場合について説明したが、この発明に係る手摺１０は、浴室以外の廊下や階段等にも適用できる。この場合、配管８や連結用ブラケット４０を除いた状態で、廊下や階段等に取り付ける。
【符号の説明】
【００８７】
９  棚
１０  手摺本体
１１，１１Ａ  芯材
１２  本体胴部
１２ｄ  段部
１３  握り部
１４  取付凹溝
１５ａ，１５ｂ  係合溝
１８ｄ  小凸条
２０  カバー材
２３  エンドキャップ
２６  隆起段部
２５  シート材
２５ａ  端縁
３０  ブラケット
３１  手摺側ブラケット半体
３１ａ  垂直壁（手摺固定部）
３１ｂ  固定ねじ
３１ｄ  係止垂下片
３１ｊ  水平段部
３２  壁側ブラケット半体
３２ａ  垂直部
３２ｃ  係止段部
３３  連結ねじ（ねじ部材）
５０  照明ユニット
５２  プリント基板
５３  発光素子
５４  光源
５５  ケース
【図１】
2019112880.tif 000003
【図２Ａ】
2019112880.tif 000004
【図２Ｂ】
2019112880.tif 000005
【図３】
2019112880.tif 000006
【図４】
2019112880.tif 000007
【図４Ａ】
2019112880.tif 000008
【図５】
2019112880.tif 000009
【図６】
2019112880.tif 000010
【図７】
2019112880.tif 000011
【図８】
2019112880.tif 000012
【図８Ａ】
2019112880.tif 000013
【図９】
2019112880.tif 000014
【図１０】
2019112880.tif 000015
【図１１】
2019112880.tif 000016
【図１２】
2019112880.tif 000017
【図１３】
2019112880.tif 000018
【図１３Ａ】
2019112880.tif 000019
【図１４】
2019112880.tif 000020
【図１５】
2019112880.tif 000021